(57)【要約】【課題】転倒し難い蓋付き容器を提供する。【解決手段】樹脂シートにより形成される蓋付き容器１において、隔壁部１３を介して隣接する第１収納部１１及び第２収納部１２を有した容器部１０と、第１収納部１１に第１折り線３１を介して連設されるとともに第１収納部１１を開閉する第１蓋部２１と、第２収納部１２に第２折り線３２を介して連設されるとともに第２収納部１２を開閉する第２蓋部２２と、を備え、第１折り線３１及び第２折り線３２が容器部１０の対向する辺に設けられる。【選択図】図２
2020079111.tif 000002
【特許請求の範囲】
【請求項１】
樹脂シートにより形成される蓋付き容器において、
隔壁部を介して隣接する第１収納部及び第２収納部を有した容器部と、
前記第１収納部に第１折り線を介して連設されるとともに前記第１収納部を開閉する第１蓋部と、
前記第２収納部に第２折り線を介して連設されるとともに前記第２収納部を開閉する第２蓋部と、を備え、
前記第１折り線及び前記第２折り線が前記容器部の対向する辺に設けられることを特徴とする蓋付き容器。
【請求項２】
前記第１収納部及び前記第２収納部の上面の開口が略同一形状に形成されることを特徴とする請求項１に記載の蓋付き容器。
【請求項３】
前記第１蓋部及び前記第２蓋部が、下方に突出して前記第１収納部及び前記第２収納部にそれぞれ嵌合する嵌合部を有することを特徴とする請求項１または請求項２に記載の蓋付き容器。
【請求項４】
前記隔壁部の上面に凹設される凹部と、前記第１蓋部及び前記第２蓋部の開放端から折曲して前記凹部に挿入される差込片とを設けたことを特徴とする請求項１または請求項２に記載の蓋付き容器。
【請求項５】
前記第１収納部及び前記第２収納部の少なくとも一方が内部を仕切る仕切部を有することを特徴とする請求項１〜請求項４のいずれかに記載の蓋付き容器。
【請求項６】
前記仕切部の高さが前記隔壁部よりも低いことを特徴とする請求項５に記載の蓋付き容器。
【請求項７】
前記第１蓋部または前記第２蓋部が下方に突出して前記仕切部に対向する上仕切部を有することを特徴とする請求項６に記載の蓋付き容器。
【請求項８】
前記容器部が外周部にフランジ部を有し、前記フランジ部上に前記第１蓋部及び前記第２蓋部にそれぞれ面して切欠き部を設けたことを特徴とする請求項１〜請求項７のいずれかに記載の蓋付き容器。
【請求項９】
前記第１蓋部及び前記第２蓋部が閉じた際に前記容器部の外縁から突出する突出部を有することを特徴とする請求項１〜請求項８のいずれかに記載の蓋付き容器。
【発明の詳細な説明】
【技術分野】
【０００１】
本発明は、蓋付き容器に関する。
【背景技術】
【０００２】
蓋付き容器は特許文献１に開示されている。この蓋付き容器は収納部と、収納部に連設される蓋部とを備える。例えば、収納部に食品を収納し、蓋部を開いて収納部内の食品を食することができる。
【先行技術文献】
【特許文献】
【０００３】
【特許文献１】特開２０１５−０８９８２８号公報
【発明の概要】
【発明が解決しようとする課題】
【０００４】
しかしながら、上記従来の蓋付き容器によると、収納部内の内容物が減った場合に、蓋部を開くと、蓋付き容器の重心が蓋部側に偏って蓋付き容器が転倒し易い問題があった。
【０００５】
本発明は、転倒し難い蓋付き容器を提供することを目的とする。
【課題を解決するための手段】
【０００６】
上記目的を達成するために本発明は、樹脂シートにより形成される蓋付き容器において、隔壁部を介して隣接する第１収納部及び第２収納部を有した容器部と、前記第１収納部に第１折り線を介して連設されるとともに前記第１収納部を開閉する第１蓋部と、前記第２収納部に第２折り線を介して連設されるとともに前記第２収納部を開閉する第２蓋部と、を備え、前記第１折り線及び前記第２折り線が前記容器部の対向する辺に設けられることを特徴としている。
【０００７】
また本発明は、上記構成の蓋付き容器において、前記第１収納部及び前記第２収納部の上面の開口が略同一形状に形成されることを特徴としている。
【０００８】
また本発明は、上記構成の蓋付き容器において、前記第１蓋部及び前記第２蓋部が、下方に突出して前記第１収納部及び前記第２収納部にそれぞれ嵌合する嵌合部を有することを特徴としている。
【０００９】
また本発明は、上記構成の蓋付き容器において、前記隔壁部の上面に凹設される凹部と、前記第１蓋部及び前記第２蓋部の開放端から折曲して前記凹部に挿入される差込片とを設けたことを特徴としている。
【００１０】
また本発明は、上記構成の蓋付き容器において、前記第１収納部及び前記第２収納部の少なくとも一方が内部を仕切る仕切部を有することを特徴としている。
【００１１】
また本発明は、上記構成の蓋付き容器において、前記仕切部の高さが前記隔壁部よりも低いことを特徴としている。
【００１２】
また本発明は、上記構成の蓋付き容器において、前記第１蓋部または前記第２蓋部が下方に突出して前記仕切部に対向する上仕切部を有することを特徴としている。
【００１３】
また本発明は、上記構成の蓋付き容器において、前記容器部が外周部にフランジ部を有し、前記フランジ部上に前記第１蓋部及び前記第２蓋部にそれぞれ面して切欠き部を設けたことを特徴としている。
【００１４】
また本発明は、上記構成の蓋付き容器において、前記第１蓋部及び前記第２蓋部が閉じた際に前記容器部の外縁から突出する突出部を有することを特徴としている。
【発明の効果】
【００１５】
本発明によると、容器部は隔壁部を介して隣接する第１収容部及び第２収容部を有する。第１収納部に第１折り線を介して第１蓋部が連設される。第２収納部に第２折り線を介して第２蓋部が連設される。第１折り線及び第２折り線が容器部の対向する辺に設けられる。これにより、第１蓋部及び第２蓋部が対向して観音開きになり、第１蓋部及び第２蓋部が開いた状態において蓋付き容器が安定する。従って、容器部内に内容物が減っても転倒し難い蓋付き容器を提供できる。
【図面の簡単な説明】
【００１６】
【図１】本発明の第１実施形態に係る蓋付き容器を示す斜視図。
【図２】本発明の第１実施形態に係る蓋付き容器を示す上面図。
【図３】本発明の第１実施形態に係る蓋付き容器を示す縦断面図。
【図４】本発明の第２実施形態に係る蓋付き容器を示す斜視図。
【図５】本発明の第３実施形態に係る蓋付き容器を示す斜視図。
【発明を実施するための形態】
【００１７】
＜第１実施形態＞
以下に図面を参照して本発明の実施形態を説明する。図１、図２は第１実施形態の蓋付き容器１を示す斜視図であり、図１は蓋部２１、２２を閉じた状態を示し、図２は蓋部２１、２２を開いた状態を示す。また、図３は第１実施形態の蓋付き容器１を示す縦断面図であり、蓋部２１、２２を開いた状態を示す。
【００１８】
蓋付き容器１（以下、容器１と略す）は樹脂シートの真空成形等により形成され、食品（離乳食等）、化粧品等の内容物を収納する。具体的には、樹脂シートとしてポリスチレン、ポリプロピレン、ポリエチレンテレフタレート、ポリカーボネート、ポリアミド等を使用することができる。
【００１９】
容器１は容器部１０と、蓋部（第１蓋部）２１と、蓋部（第２蓋部）２２と、を備える。容器部１０は上面視略矩形であり、内容物を収納する収納部（第１収納部）１１、収納部（第２収納部）１２及びフランジ部１１ｅ、１２ｅを有する。収納部１１及び収納部１２は隔壁部１３を介して夫々隔離されている。
【００２０】
収納部１１、１２は底面部１１ａ、１２ａと側面部１１ｂ、１２ｂとを備える。収納部１１、１２は上面に開口部１１ｃ、１２ｃを有する。開口部１１ｃと開口部１２ｃとは略同一形状に形成される。
【００２１】
底面部１１ａ、１２ａは上面視においてコーナーが曲線状の略矩形に形成される。側面部１１ｂ、１２ｂは底面部１１ａ、１２ａの周縁から立設して形成される。隔壁部１３の側面は側面部１１ｂ、１２ｂにより形成される。
【００２２】
収納部１１、１２は底面部１１ａ、１２ａの上面から上方に突出する仕切部１１ｄ、１２ｄを有する。仕切部１１ｄ、１２ｄは収納部１１、１２の内部を仕切る。仕切部１１ｄ、１２ｄの高さは側面部１１ｂ、１２ｂよりも低い。仕切部１１ｄ、１２ｄを設けることにより、内容物を小分けにして収納部１１、１２内に収納することができる。
【００２３】
仕切部１１ｄ、１２ｄの高さが側面部１１ｂ、１２ｂよりも低いため、仕切部１１ｄ、１２ｄの上端を目安にして収納部１１、１２内の内容物を計量できる。また、液状の内容物を仕切部１１ｄ、１２ｄの上端よりも上方まで収納して冷凍することにより、収納部１１、１２から取出した内容物を仕切部１１ｄ、１２ｄと面していた部分で容易に分割することができる。これにより、冷凍した内容物を容易に小分けすることができる。なお、仕切部１１ｄ、１２ｄは収納部１１、１２の両方に設けたが、いずれか一方のみに設けてもよい。
【００２４】
フランジ部１１ｅは開口部１１ｃの外周縁から外側に延び、フランジ部１２ｅは開口部１２ｃの外周縁から外側に延びる。フランジ部１１ｅ及びフランジ部１２ｅは同一面内で連結され、収納部１１、１２が一体化する。隔壁部１３の上面はフランジ部１１ｅ及びフランジ部１２ｅにより構成される。
【００２５】
蓋部２１は折り線（第１折り線）３１を介して収納部１１に連設される。蓋部２２は折り線（第２折り線）３２を介して収納部１１に連設される。折り線３１及び折り線３２は容器部１０の対向する辺に設けられる。これにより、蓋部２１、２２が対向して観音開きになり、蓋部２１、２２が開いた状態において容器１が安定する。従って、容器１内に内容物が減っても容器１が転倒し難い。
【００２６】
また、開口部１１ｃと開口部１２ｃとは略同一形状に形成されており、蓋部２１、２２の重さが略同一である。これにより、蓋部２１、２２が開いた状態において容器１がより安定する。
【００２７】
蓋部２１、２２は下面から下方に突出する環状の嵌合部２１ａ、２２ａをそれぞれ有する。嵌合部２１ａ、２２ａは収納部１１、１２に嵌合する。これにより、収納部１１、１２が蓋部２１、２２によって閉蓋された状態を容易に保持できる。
【００２８】
また、蓋部２１、２２は下面から下方に突出する上仕切部２１ｂ、２２ｂをそれぞれ有する。蓋部２１、２２を閉じた状態において、上仕切部２１ｂ、２２ｂは仕切部１１ｄ、１２ｄに対向し、上仕切部２１ｂ、２２ｂの下端と仕切部１１ｄ、１２ｄの上端との間には間隙（不図示）が形成される。間隙を小さく形成することにより、収納部１１、１２から取出した冷凍の内容物は仕切部１１ｄ、１２ｄと面する部分がより薄く形成される。これにより、冷凍の内容物をより容易に分割することができる。
【００２９】
フランジ部１１ｅ、１２ｅが連結された隔壁部１３の両端には切欠き部１３ａがそれぞれ設けられる。蓋部２１、２２を閉じた状態において、切欠き部１３ａは蓋部２１、２２に面する。これにより、切欠き部１３ａ上の蓋部２１、２２を容易に摘持することができ、蓋部２１、２２を容易に開くことができる。切欠き部１３ａを隔壁１３に隣接する辺のフランジ部１１ｅ、１２ｅ上に設けてもよい。
【００３０】
本実施形態によると、隔壁部１３を介して隣接する収納部（第１収納部）１１及び収納部（第２収納部）１２を有した容器部１０を有する。収納部１１は折り線（第１折り線）３１を介して蓋部（第１蓋部）２１が連設される。また、収納部１２は折り線（第２折り線）３２を介して蓋部（第２蓋部）２２が連設される。折り線３１及び折り線３２は容器部１０の対向する辺に設けられる。これにより、蓋部２１、２２が対向して観音開きになり、蓋部２１、２２が開いた状態において容器１が安定する。従って、容器部１０内に内容物が減っても容器１が転倒し難い。
【００３１】
また、開口部１１ｃと開口部１２ｃとは略同一形状に形成されており、蓋部２１、２２の重さが略同一である。これにより、蓋部２１、２２が開いた状態において容器１がより安定する。
【００３２】
また、蓋部２１、２２が、下方に突出して収納部１１、１２にそれぞれ嵌合する嵌合部２１ａ、２２ａを有する。これにより、収納部１１、１２が蓋部２１、２２によって閉蓋された状態を容易に保持できる。
【００３３】
収納部１１、１２の少なくとも一方が内部を仕切る仕切部１１ｄ、１２ｄを有する。これにより、内容物を小分けにして収納部１１、１２内に収納することができる。
【００３４】
また、仕切部１１ｄ、１２ｄの高さが側面部１１ｂ、１２ｂよりも低いため、仕切部１１ｄ、１２ｄの上端を目安にして収納部１１、１２内の内容物を計量できる。また、液状の内容物を仕切部１１ｄ、１２ｄの上端よりも上方まで収納して冷凍することにより、収納部１１、１２から取出した内容物を仕切部１１ｄ、１２ｄと面していた部分で容易に分割することができる。これにより、冷凍した内容物を容易に小分けすることができる。
【００３５】
また、蓋部２１、２２は下面から下方に突出する上仕切部２１ｂ、２２ｂをそれぞれ有する。これにより、蓋部２１、２２を閉じた状態において、上仕切部２１ｂ、２２ｂは仕切部１１ｄ、１２ｄに対向し、上仕切部２１ｂ、２２ｂの下端と仕切部１１ｄ、１２ｄの上端との間には間隙（不図示）が形成される。間隙を小さく形成することにより、収納部１１、１２から取出した冷凍の内容物は仕切部１１ｄ、１２ｄと面する部分がより薄く形成される。これにより、冷凍の内容物をより容易に分割することができる。
【００３６】
また、容器部１０が外周部にフランジ部１１ｅ、１２ｅを有し、フランジ部１１ｅ、１２ｅ上に蓋部２１、２２にそれぞれ面する切欠き部１３ａを設けた。これにより、切欠き部１３ａ上の蓋部２１、２２を容易に摘持することができ、蓋部２１、２２を容易に開くことができる。
【００３７】
＜第２実施形態＞
次に、図４は第２実施形態の容器１の斜視図であり、蓋部２１、２２を開いた状態を示す。説明の便宜上、前述の図１〜図３に示す第１実施形態と同様の部分には同一の符号を付している。本実施形態は底面部１１ａ、１２ａの形状が第１実施形態と異なる。また、切欠き部１３ａの代わりに、蓋部２１、２２が突出部２１ｃ、２２ｃを有する。また、切欠き部１３ａ、仕切部１１ｄ、１２ｄ及び上仕切部２１ｂ、２２ｂを省いているが、第１実施形態と同様に設けてもよい。その他の部分は第１実施形態と同様である。
【００３８】
底面部１１ａ、１２ａは上面視において略三角形に形成される。収納部１１、１２は隔壁部１３を挟んで配置され、容器部１０は上面視点対称の略平行四辺形に形成される。折り線３１及び折り線３２は容器部１０の対向する辺に設けられる。これにより、蓋部２１、２２が対向して観音開きになり、蓋部２１、２２が開いた状態において容器１が安定する。従って、第１実施形態と同様の効果を得ることができる。
【００３９】
突出部２１ｃ、２２ｃは蓋部２１、２２を閉じた状態において、容器部１０の外縁から突出する。これにより、突出部２１ｃ、２２ｃを摘持して蓋部２１、２２を容易に開くことができる。なお、収納部１１、１２のフランジ部１１ｅ、１２ｅ上に第１実施形態と同様の切欠き部１３ａ（図２参照）を設けてもよい。これにより、突出部２１ｃ、２２ｃの突出量を小さくしても突出部２１ｃ、２２ｃを容易に摘持することができる。
【００４０】
＜第３実施形態＞
次に、図５は第３実施形態の容器１の斜視図であり、蓋部２１、２２を開いた状態を示す。説明の便宜上、前述の図１〜図３に示す第１実施形態と同様の部分には同一の符号を付している。本実施形態は嵌合部２１ａ、２２ａの代わりに差込片２１ｄ、２２ｄが設けられる点が第１実施形態と異なる。また、仕切部１１ｄ、１２ｄ及び上仕切部２１ｂ、２２ｂを省いているが、第１実施形態と同様に設けてもよい。その他の部分は第１実施形態と同様である。
【００４１】
隔壁部１３は上面に凹部１３ｂが凹設される。また、蓋部２１、２２は開放端から折曲された差込片２１ｄ、２２ｄを有する。差込片２１ｄ、２２ｄは凹部１３ｂに挿入される。これにより、収納部１１、１２が蓋部２１、２２によって閉蓋された状態を容易に保持できる。なお、本実施形態では、差込片２１ｄ、２２ｄが共通する１箇所の凹部１３ｂに挿入されるが、凹部１３ｂを２箇所設けてもよい。この場合、差込片２１ｄ、２２ｄをそれぞれ対応する凹部１３ｂに挿入する。
【産業上の利用可能性】
【００４２】
本発明によると、離乳食、化粧品等を収納する蓋付き容器に利用することができる。
【符号の説明】
【００４３】
１      容器（蓋付き容器）
１０      容器部
１１、１２  収納部
１１ａ、１２ａ  底面部
１１ｂ、１２ｂ  側面部
１１ｃ、１２ｃ  開口部
１１ｄ、１２ｄ  仕切部
１１ｅ、１２ｅ  フランジ部
１３      隔壁部
１３ａ    切欠き部
１３ｂ    凹部
２１、２２  蓋部
２１ａ、２２ａ  嵌合部
２１ａ、２２ａ  突出部
２１ｂ、２２ｂ  上仕切部
２１ｃ、２２ｃ  突出部
２１ｄ、２２ｄ  差込片
３１      折り線
３２      折り線
【図１】
2020079111.tif 000003
【図２】
2020079111.tif 000004
【図３】
2020079111.tif 000005
【図４】
2020079111.tif 000006
【図５】
2020079111.tif 000007